(57)【要約】【課題】複数の組立ユニットを組み立てて構成されるシステム収納家具を、ユーザーの好み等に応じて設計するのを表示画面を使って支援するシステムにおいて、選択可能な組立ユニットのみを表示画面上に表示することにより、設計完了まで時間を抑制する。【解決手段】表示画面上に、家具の設置場所情報に基づいて、家具の設置場所に相当する設置スペース枠１８を表示する設置スペース枠表示手段と、家具の種別情報に基づいて、組立ユニットのイメージを表示部２０に表示する組立ユニット表示手段と、表示部２０に表示された各組立ユニットのイメージのうち、操作者により選択された組立ユニットのイメージを矢印のように設置スペース枠１８内に移動させる組立ユニット移動手段と、表示部２０に表示される各組立ユニットのイメージを、その時点において家具の設置場所に残されたスペース等により設置可能なものに限定する表示限定手段とを備える。【選択図】図１２
2017091203.tif 000002
【特許請求の範囲】
【請求項１】
複数の組立ユニットを組み立てて一つの家具として構成されるシステム収納家具の設計支援システムであって、
家具の設置場所情報及び家具の種別情報を入力可能とする入力手段と、
表示画面上に、前記入力手段により入力された家具の設置場所情報に基づいて、家具の設置場所に相当する設置スペース枠を表示する設置スペース枠表示手段と、
前記入力手段により入力された家具の種別情報に基づいて、家具として組み立て可能な組立ユニットのイメージを、表示画面上に前記設置スペース枠と同時に表示する組立ユニット表示手段と、
前記組立ユニット表示手段により表示された前記各組立ユニットのイメージのうち、操作者により選択された組立ユニットのイメージを前記設置スペース枠内に移動させる組立ユニット移動手段と、
前記組立ユニット表示手段により表示される各組立ユニットのイメージを、その時点において前記家具の設置場所に残されたスペースに設置可能な大きさのもの、若しくはその時点において既に選択済の組立ユニットに構造上又は仕様上の観点から組立可能なものに限定し、設置不能、又は組立不能なものは表示を除外する表示限定手段と
を備えるシステム収納家具の設計支援システム。
【請求項２】
請求項１において、
操作者による操作に基づいて、前記組立ユニット移動手段により前記設置スペース枠内に移動された前記各組立ユニットの品番情報を保存する保存手段と、
前記各組立ユニットの品番に対応して販売店における商品コード、価格及び／又は納期を記憶する販売店用メモリと、
前記保存手段により保存された品番を、前記販売店用メモリの記憶に基づいて、販売店における商品コード、価格及び／又は納期に変換する変換手段と
を備えるシステム収納家具の設計支援システム。
【請求項３】
請求項１又は２において、
前記設置スペース枠内に移動されて表示された組立ユニットのイメージの一つを選択して、そのイメージ上でタッピング操作又はマウスによるクリック操作が行われたことを検知する選択操作検知手段と、
前記タッピング操作又はマウスによるクリック操作が検知されると、当該操作の対象とされた組立ユニットの座標上の位置を保留状態とし、しかも保留状態とされた組立ユニットのイメージと、その組立ユニットに隣接する組立ユニットのイメージとの境界部に入換えマークを表示する保留化手段と、
前記入換えマークを選択する操作が行われると、両組立ユニットの位置を互いに入れ換えて表示する入換手段と
を備えるシステム収納家具の設計支援システム。
【請求項４】
請求項１乃至３のいずれかにおいて、
操作者による指示に基づいて、前記組立ユニット表示手段によって表示される組立ユニットとして、家具設置スペースとして残されたスペースに応じて家具の寸法が可変とされるカスタマイズ商品を表示するカスタマイズ商品表示手段と、
前記カスタマイズ商品表示手段によって表示される組立ユニットが、前記組立ユニット移動手段によって移動されると、移動された組立ユニットの寸法が家具設置スペースとして残されたスペースに応じて変更される寸法変更手段と
を備えるシステム収納家具の設計支援システム。
【請求項５】
請求項１乃至４のいずれかにおいて、
操作者の選択に基づいて、家具の種別毎の特徴及び／又はセールスポイントを表示画面上に表示する学習手段を備えるシステム収納家具の設計支援システム。
【請求項６】
請求項２において、
操作者による指示に基づいて、前記保存手段による前記各組立ユニットの品番情報から、ユーザーに対するレイアウトシート、メーカーに対するオーダーサイズ指示書、組立作業者に対する設置指示書の少なくともいずれか一つを作成する書類作成手段を備えるシステム収納家具の設計支援システム。
【請求項７】
請求項１乃至６のいずれかにおいて、
組立ユニットとして選択可能な各テレビボードに対して収納可能又は取付可能なテレビの機種情報を格納したテレビ用メモリと、
ユーザーによって入力されたテレビの機種情報に基づいて、前記テレビ用メモリに格納された情報から抽出される、当該機種情報のテレビを収納可能又は取付可能なテレビボードのイメージを表示画面上に表示するテレビボード表示手段と
を備えるシステム収納家具の設計支援システム。
【請求項８】
請求項２において、
操作者による指示に基づいて、前記変換手段による商品コード、価格及び／又は納期情報から、見積書又は発注書を作成する見積等作成手段を備えるシステム収納家具の設計支援システム。
【請求項９】
複数の組立ユニットを組み立てて構成されるシステム収納家具の設計支援システム用コンピュータプログラムであって、
家具の設置場所情報及び家具の種別情報を入力可能とする入力手段、
表示画面上に、前記入力手段により入力された家具の設置場所情報に基づいて、家具の設置場所に相当する設置スペース枠を表示する設置スペース枠表示手段、
前記入力手段により入力された家具の種別情報に基づいて、家具として組み立て可能な組立ユニットのイメージを、表示画面上に前記設置スペース枠と同時に表示する組立ユニット表示手段、
前記組立ユニット表示手段により表示された前記各組立ユニットのイメージのうち、操作者により選択された組立ユニットのイメージを前記設置スペース枠内に移動させる組立ユニット移動手段、
前記組立ユニット表示手段により表示される各組立ユニットのイメージを、その時点において前記家具の設置場所に残されたスペースに設置可能な大きさのもの、若しくはその時点において既に選択済の組立ユニットに構造上又は仕様上の観点から組立可能なものに限定し、設置不能、又は組立不能なものは表示を除外する表示限定手段
としてコンピュータを機能させるためのプログラム。
【請求項１０】
複数の組立ユニットを組み立てて構成されるシステム収納家具の設計支援システム用コンピュータプログラムであって、
家具の設置場所情報及び家具の種別情報を入力可能とする入力手段、
表示画面上に、前記入力手段により入力された家具の設置場所情報に基づいて、家具の設置場所に相当する設置スペース枠を表示する設置スペース枠表示手段、
前記入力手段により入力された家具の種別情報に基づいて、家具として組み立て可能な組立ユニットのイメージを、表示画面上に前記設置スペース枠と同時に表示する組立ユニット表示手段、
前記組立ユニット表示手段により表示された前記各組立ユニットのイメージのうち、操作者により選択された組立ユニットのイメージを前記設置スペース枠内に移動させる組立ユニット移動手段、
前記組立ユニット表示手段により表示される各組立ユニットのイメージを、その時点において前記家具の設置場所に残されたスペースに設置可能な大きさのもの、若しくはその時点において既に選択済の組立ユニットに構造上又は仕様上の観点から組立可能なものに限定し、設置不能、又は組立不能なものは表示を除外する表示限定手段
としてコンピュータを機能させるためのプログラムを記録したコンピュータ読み取り可能な記録媒体。
【請求項１１】
複数の組立ユニットを組み立てて構成されるシステム収納家具の設計支援方法であって、
家具の設置場所情報及び家具の種別情報を入力可能とする入力手順と、
表示画面上に、前記入力手順により入力された家具の設置場所情報に基づいて、家具の設置場所に相当する設置スペース枠を表示する設置スペース枠表示手順と、
前記入力手順により入力された家具の種別情報に基づいて、家具として組み立て可能な組立ユニットのイメージを、表示画面上に前記設置スペース枠と同時に表示する組立ユニット表示手順と、
前記組立ユニット表示手順により表示された前記各組立ユニットのイメージのうち、操作者により選択された組立ユニットのイメージを前記設置スペース枠内に移動させる組立ユニット移動手順と、
前記組立ユニット表示手順により表示される各組立ユニットのイメージを、その時点において前記家具の設置場所に残されたスペースに設置可能な大きさのもの、若しくはその時点において既に選択済の組立ユニットに構造上又は仕様上の観点から組立可能なものに限定し、設置不能、又は組立不能なものは表示を除外する表示限定手順と
を備えるシステム収納家具の設計支援方法。
【発明の詳細な説明】
【技術分野】
【０００１】
本発明は、食器棚、壁面収納家具等のシステム収納家具を販売する店頭等において、システム収納家具を購入したいユーザーが、複数の組立ユニットを組合せてシステム収納家具を設計するのを支援するシステムに関する。並びに、システム収納家具の設計支援システムためのコンピュータプログラム、プログラムを記録したコンピュータ読み取り可能な記録媒体、及びシステム収納家具の設計支援方法に関する。
【背景技術】
【０００２】
下記特許文献１には、壁面収納の作り付け家具の設計を支援する装置が開示されている。この支援装置では、作り付け家具の設置場所に相当する設置スペース枠を表示画面上に表示する。また、この設置スペース枠に隣接して作り付け家具を構成する複数の組立ユニットを表示する。表示された組立ユニットを選択してドラッグ・アンド・ドロップ操作により設置スペース枠内に移動して作り付け家具を画面上で組み立て可能とされている。このようにして作り付け家具の設計支援が行われている。
【先行技術文献】
【特許文献】
【０００３】
【特許文献１】特開２００７−２８６９４９号公報
【発明の概要】
【発明が解決しようとする課題】
【０００４】
しかし、大きさや形状の違う多種類の組立ユニットを組み合わせる家具の場合、設置スペース枠に移動した組立ユニットが設置スペース枠内の残存スペースに収まらないことも生じる。その場合、残存スペースに収まる組立ユニットを試行錯誤により選択することになり、設計完了までに時間を要する問題がある。
【０００５】
このような問題に鑑み本発明の課題は、複数の組立ユニットを組み立てて構成されるシステム収納家具を、設置場所の大きさやユーザーの好みに応じて設計するのを表示画面を使って支援するシステムにおいて、選択可能な組立ユニットのみを表示画面上に表示することにより、ユーザーが選択できない組立ユニットを選択して設計完了までに余分な時間を費やすのを抑制することにある。
【課題を解決するための手段】
【０００６】
第１発明は、複数の組立ユニットを組み立てて一つの家具として構成されるシステム収納家具の設計支援システムであって、家具の設置場所情報及び家具の種別情報を入力可能とする入力手段と、表示画面上に、前記入力手段により入力された家具の設置場所情報に基づいて、家具の設置場所に相当する設置スペース枠を表示する設置スペース枠表示手段と、前記入力手段により入力された家具の種別情報に基づいて、家具として組み立て可能な組立ユニットのイメージを、表示画面上に前記設置スペース枠と同時に表示する組立ユニット表示手段と、前記組立ユニット表示手段により表示された前記各組立ユニットのイメージのうち、操作者により選択された組立ユニットのイメージを前記設置スペース枠内に移動させる組立ユニット移動手段と、前記組立ユニット表示手段により表示される各組立ユニットのイメージを、その時点において前記家具の設置場所に残されたスペースに設置可能な大きさのもの、若しくはその時点において既に選択済の組立ユニットに構造上又は仕様上の観点から組立可能なものに限定し、設置不能、又は組立不能なものは表示を除外する表示限定手段とを備える。
【０００７】
第１発明において、システム収納家具としては、組立式の食器棚、壁面収納家具等が該当する。また、入力手段により入力される家具の設置場所情報とは、台所や居間において家具を設置する場所の寸法情報等である。入力手段により入力される家具の種別情報とは、食器棚か壁面収納家具か等の種別情報の他、同じ種別の中でのグレード、バリエーション情報等である。表示画面としては、一般的にパソコン、タブレット端末、スマートフォン等と呼ばれるコンピュータで、ウェブブラウザに代表されるＨＴＭＬを描画可能なコンピュータのディスプレイ画面が含まれる。構造上又は仕様上の観点から組立可能なものに限定とは、既に選択済で設置スペース枠内に移動済の組立ユニットに対して組立可能な構造を備えるもの、又は組み合わせ可能な仕様のものに限定することを意味する。
【０００８】
第１発明によれば、入力手段による入力情報に基づいて表示画面上に設置スペース枠と組立可能な組立ユニットが表示される。操作者は、実際に家具を組み立てるときの感覚で、表示された組立ユニットを設置スペース枠に移動させてシステム収納家具を組み立てることができる。このとき、表示画面上に表示される組立ユニットは、残されたスペースに設置可能なもの、若しくは既に選択済で設置スペース枠内に移動済の組立ユニットに対して組立可能な構造を備えるもの、又は組み合わせ可能な仕様のものに限定される。そのため、操作者が選択した組立ユニットが設置スペース枠に収まらない、若しくは既に移動済の組立ユニットに対して組み立てられない状況が発生することはない。従って、操作者は、残されたスペースについて何も考慮することなく、若しくは構造上又は仕様上の観点から組立可能か否かを考慮することなく、好みのままに組立ユニットを選択して設置スペース枠内で組み立てることができる。その結果、設置スペースに収まるシステム収納家具を短時間で設計することができる。若しくは、構造上又は仕様上の観点から組立可能な組立ユニットによりシステム収納家具を短時間で設計することができる。
【０００９】
第２発明は、上記第１発明において、操作者による操作に基づいて、前記組立ユニット移動手段により前記設置スペース枠内に移動された前記各組立ユニットの品番情報を保存する保存手段と、前記各組立ユニットの品番に対応して販売店における商品コード、価格及び／又は納期を記憶する販売店用メモリと、前記保存手段により保存された品番を、前記販売店用メモリの記憶に基づいて、販売店における商品コード、価格及び／又は納期に変換する変換手段とを備える。
【００１０】
第２発明によれば、設置スペース枠内に移動され、システム収納家具として組み立てられた各組立ユニットの品番情報が記憶保存される。そのため、その情報を見積書や発注書の作成に活用することができる。そして、販売店用メモリに記憶された品番と商品コード他との対応に基づいて、保存手段に保存されている品番情報を販売店特有の商品コードに変換すると共に、販売店特有の価格及び／又は納期の情報に変換することができる。そのため、各販売店に共通のシステムを使用しながら、販売店毎に使用可能な特有の情報に変換することができる。
【００１１】
第３発明は、上記第１又は第２発明において、前記設置スペース枠内に移動されて表示された組立ユニットのイメージの一つを選択して、そのイメージ上でタッピング操作又はマウスによるクリック操作が行われたことを検知する選択操作検知手段と、前記タッピング操作又はマウスによるクリック操作が検知されると、当該操作の対象とされた組立ユニットの座標上の位置を保留状態とし、しかも保留状態とされた組立ユニットのイメージと、その組立ユニットに隣接する組立ユニットのイメージとの境界部に入換えマークを表示する保留化手段と、前記入換えマークを選択する操作が行われると、両組立ユニットの位置を互いに入れ換えて表示する入換手段とを備える。
【００１２】
第３発明において、入換えマークは、入換えを表わすマークであれば矢印等何でもよい。
【００１３】
第３発明によれば、選択されて設置スペース枠内に移動され、組み立てられた組立ユニットをタッピング操作等により、その組立ユニットの座標軸上の位置を保留状態とすることができる。その上で、保留状態の組立ユニットと隣接する組立ユニットのイメージとの境界部に表示される入換えマークを操作することによって相互の組立ユニットの入換えを行うことができる。従って、既に組み立てられた組立ユニットの入換えを簡単な操作で行うことができる。
【００１４】
第４発明は、上記第１〜３発明のいずれかにおいて、操作者による指示に基づいて、前記組立ユニット表示手段によって表示される組立ユニットとして、家具設置スペースとして残されたスペースに応じて家具の寸法が可変とされるカスタマイズ商品を表示するカスタマイズ商品表示手段と、前記カスタマイズ商品表示手段によって表示される組立ユニットが、前記組立ユニット移動手段によって移動されると、移動された組立ユニットの寸法が家具設置スペースとして残されたスペースに応じて変更される寸法変更手段とを備える。
【００１５】
第４発明によれば、表示画面上に表示される組立ユニットとして、カスタマイズ商品を表示することができる。そのカスタマイズ商品が組立ユニットとして選択されて設置スペース枠内に移動されると、設置スペース枠内に残されたスペースに応じた寸法にカスタマイズ商品の大きさが変更される。従って、面倒な操作なしに、設置スペース枠内に残されたスペースに応じた寸法のカスタマイズ商品を組立ユニットとして組み立てることができる。
【００１６】
第５発明は、上記第１〜４発明のいずれかにおいて、操作者の選択に基づいて、家具の種別毎の特徴及び／又はセールスポイントを表示画面上に表示する学習手段を備える。
【００１７】
第５発明によれば、家具の種別毎の特徴及び／又はセールスポイントを表示画面上に表示することができる。そのため、表示画面上の表示を販売員の教育ツールとして、また、家具購入者向けのパンフレットとして使用することができる。
【００１８】
第６発明は、上記第２発明において、操作者による指示に基づいて、前記保存手段による前記各組立ユニットの品番情報から、ユーザーに対するレイアウトシート、メーカーに対するオーダーサイズ指示書、組立作業者に対する設置指示書の少なくともいずれか一つを作成する書類作成手段を備える。
【００１９】
第６発明によれば、各組立ユニットの品番情報から、ユーザーに対するレイアウトシート、メーカーに対するオーダーサイズ指示書、組立作業者に対する設置指示書の少なくともいずれか一つを作成することができる。そのため、レイアウトシート等の書類を簡単に、且つ間違いのない内容で作成することができる。
【００２０】
第７発明は、上記第１〜６発明のいずれかにおいて、組立ユニットとして選択可能な各テレビボードに対して収納可能又は取付可能なテレビの機種情報を格納したテレビ用メモリと、ユーザーによって入力されたテレビの機種情報に基づいて、前記テレビ用メモリに格納された情報から抽出される、当該機種情報のテレビを収納可能又は取付可能なテレビボードのイメージを表示画面上に表示するテレビボード表示手段とを備える。
【００２１】
第７発明によれば、テレビボードを選択する際に、そのテレビボードに収納するテレビの機種情報を入力することにより、そのテレビを収納可能又は取付可能なテレビボードを組立ユニットとして表示画面上に表示することができる。従って、テレビの機種情報が判っていれば、間違いなく簡単に、そのテレビを収納可能又は取付可能なテレビボードを抽出して表示画面上に表示することができる。
【００２２】
第８発明は、上記第２発明において、操作者による指示に基づいて、前記変換手段による商品コード、価格及び／又は納期情報から、見積書又は発注書を作成する見積等作成手段を備える。
【００２３】
第８発明によれば、商品コード、価格及び／又は納期情報から、見積書又は発注書を作成することができる。そのため、見積書又は発注書を簡単に、且つ間違いのない内容で作成することができる。
【００２４】
第９発明は、複数の組立ユニットを組み立てて構成されるシステム収納家具の設計支援システム用コンピュータプログラムであって、上記第１発明と同様の入力手段、設置スペース枠表示手段、組立ユニット表示手段、組立ユニット移動手段、表示限定手段としてコンピュータを機能させるためのプログラムである。
【００２５】
第１０発明は、複数の組立ユニットを組み立てて構成されるシステム収納家具の設計支援システム用コンピュータプログラムであって、上記第１発明と同様の入力手段、設置スペース枠表示手段、組立ユニット表示手段、組立ユニット移動手段、表示限定手段としてコンピュータを機能させるためのプログラムを記録したコンピュータ読み取り可能な記録媒体である。
【００２６】
第１１発明は、複数の組立ユニットを組み立てて構成されるシステム収納家具の設計支援方法であって、家具の設置場所情報及び家具の種別情報を入力可能とする入力手順と、表示画面上に、前記入力手順により入力された家具の設置場所情報に基づいて、家具の設置場所に相当する設置スペース枠を表示する設置スペース枠表示手順と、前記入力手順により入力された家具の種別情報に基づいて、家具として組み立て可能な組立ユニットのイメージを、表示画面上に前記設置スペース枠と同時に表示する組立ユニット表示手順と、前記組立ユニット表示手順により表示された前記各組立ユニットのイメージのうち、操作者により選択された組立ユニットのイメージを前記設置スペース枠内に移動させる組立ユニット移動手順と、前記組立ユニット表示手順により表示される各組立ユニットのイメージを、その時点において前記家具の設置場所に残されたスペースに設置可能な大きさのもの、若しくはその時点において既に選択済の組立ユニットに構造上又は仕様上の観点から組立可能なものに限定し、設置不能、又は組立不能なものは表示を除外する表示限定手順とを備えるシステム収納家具の設計支援方法である。
【００２７】
第９乃至第１１発明によれば、第１発明と同様、操作者は、残されたスペースについて何も考慮することなく、若しくは構造上又は仕様上の観点から組立可能か否かを考慮することなく、好みのままに組立ユニットを選択して設置スペース枠内で組み立てることができる。その結果、設置スペースに収まるシステム収納家具を短時間で設計することができる。若しくは、構造上又は仕様上の観点から組立可能な組立ユニットによりシステム収納家具を短時間で設計することができる。
【００２８】
第１２発明は、上記第１〜８発明のいずれかにおいて、前記設置スペース枠内に移動されて組み立てられた組立ユニットのうち、他の組立ユニットと入れ換えたいとして操作者により選択された組立ユニットを前記設置スペース枠外へ移動し、当該組立ユニットの座標上の位置を空白とする組立ユニット取外手段と、前記組立ユニット表示手段により表示される組立ユニットを、前記空白に相当するスペース内に設置可能な大きさの組立ユニットに限定する第２表示限定手段と、前記組立ユニット表示手段により表示された組立ユニットの中から操作者により選択されたものを、前記空白内に移動して表示する第２組立ユニット移動手段とを備える。
【００２９】
第１２発明によれば、組み立てられた組立ユニットの中の一部組立ユニットの入れ換えを簡単な操作で、しかも入れ換え不能な組立ユニットを選択するという間違いを犯すことなく行うことができる。
【００３０】
第１３発明は、上記第２発明において、前記設置スペース枠における組立ユニットによる家具の組立が完了した状態において、操作者による指示に基づいて、今、設置スペース枠において組み立てられた家具と同等の大きさ、且つ近似構造の他の種類の家具の組立例を、前記保存手段に保存されている情報から読み出して表示画面上に、価格及び機能を含む各家具の特徴事項を比較可能な一覧形式にて表示する一覧表示手段と、該一覧表示手段により一覧表示された家具の中で操作者により選択された家具のイメージを前記設置スペース枠に表示する変更表示手段とを備える。
【００３１】
第１３発明によれば、同等の大きさ、且つ近似構造の組立済の家具を、一覧形式にて表示して比較検討可能とし、その中から好みの家具を容易に選択可能とすることができる。
【図面の簡単な説明】
【００３２】
【図１】本発明の一実施形態のシステム構成図である。
【図２】上記実施形態のシステムを機能させるためのプログラム内容の一部を示すフローチャートで、第１部分を示す。
【図３】図２と同じフローチャートの第２部分を示す。
【図４】図２と同じフローチャートの第３部分を示す。
【図５】図２と同じフローチャートの第４部分を示す。
【図６】図２と同じフローチャートの第５部分を示す。
【図７】図２と同じフローチャートの第６部分を示す。
【図８】図２と同様のプログラム内容で、別の一部を示すフローチャートである。
【図９】図２と同様のプログラム内容で、更に別の一部を示すフローチャートである。
【図１０】上記実施形態におけるタブレット端末の画面表示のうち、シリーズ選択画面の例を示す図である。
【図１１】上記実施形態におけるタブレット端末の画面表示のうち、家具の設置場所情報入力画面の例を示す図である。
【図１２】上記実施形態におけるタブレット端末の画面表示のうち、シミュレーション実施画面の例を示す図である。
【図１３】図１２と同様のシミュレーション実施画面で、別の操作時の画面例を示す図である。
【図１４】図１２と同様のシミュレーション実施画面で、更に別の操作時の画面例を示す図である。
【図１５】図１２と同様のシミュレーション実施画面で、シミュレーション終了時の画面例を示す図である。
【図１６】図１２と同様のシミュレーション実施画面で、シミュレーション終了後の選択操作時の画面例を示す図である。
【図１７】図１２と同様のシミュレーション実施画面で、シミュレーション終了後のカラー変更時の画面例を示す図である。
【図１８】図１２と同様のシミュレーション実施画面で、カラー変更完了後の画面例を示す図である。
【図１９】図１２と同様のシミュレーション実施画面で、複数の組立済家具を一覧形式にて表示した例を示す図である。
【図２０】上記実施形態におけるタブレット端末の画面表示のうち、見積書の確認画面の例を示す図である。
【図２１】上記実施形態におけるタブレット端末の画面表示のうち、過去の商談履歴呼出画面の例を示す図である。
【図２２】図１２と同様のシミュレーション実施画面で、カスタマイズ商品選択時の画面例を示す図である。
【図２３】図１２と同様のシミュレーション実施画面で、組立ユニット入換操作時の画面例を示す図である。
【図２４】図１２と同様のシミュレーション実施画面で、組立済の家具の一部の組立ユニットを入れ換える際の画面例を示す図である。
【発明を実施するための形態】
【００３３】
各図は、本発明の一実施形態を示す。この実施形態は、システム収納家具としての食器棚及び壁面収納家具を、いわゆるタブレット端末を使用して組み立てて設計する設計支援システムを示す。この設計支援システムは、システム収納家具を購入したいユーザーが、販売店の店頭で販売員と共に、タブレット端末を操作しながら、望みのシステム収納家具を組み立てて設計する場合に使用する。勿論、ユーザーが自宅で設計する場合等に使用してもよい。なお、以下の説明では、システム収納家具を組み立てて設計する行為をシミュレーションとも表現する。
【００３４】
図１は、本実施形態における設計支援システムのシステム構成を示す。設計支援システムを機能させるためのプログラムは、インターネット４のネットワーク上に接続されたサーバー２内に格納されている。サーバー２内のプログラムは、タブレット端末８内のウェブブラウザによってアクセス可能とされている。そのため、タブレット端末８は、無線通信可能に配置されたアクセスポイント６を介してインターネット４に接続可能とされている。タブレット端末８は、同様のウェブブラウザを使用可能とされたいわゆるパソコンやスマートフォンに代えることができる。
【００３５】
図２〜９は、設計支援システムを機能させるためのプログラムを示す。タブレット端末８内のウェブブラウザを通じてサーバー２内のプログラムが起動されると、図１０に示す画面が、タブレット端末８のディスプレイ上に表示される。この画面は、シリーズ選択画面であり、この画面上の右端の表示部１０には、家具の選択画面が表示される。ここで、操作者が表示部１０の上端部にある「キッチン」か「リビング」いずれかのタブをタッチ操作することにより、システム収納家具として食器棚か壁面収納家具のいずれかを選択することができる。例えば、「キッチン」が選択されると、図２のステップＳ２からステップＳ４に進んで、タブレット端末８のディスプレイ上に、図１０のように、食器棚として選択可能なシリーズの食器棚のイメージ１２が表示される。また、「リビング」が選択されると、ステップＳ２からステップＳ５（図７参照）に進んで、タブレット端末８のディスプレイ上に、壁面収納家具として選択可能なシリーズの壁面収納家具のイメージが表示される。壁面収納家具のイメージの図示は省略したが、図１０の食器棚のイメージ１２が壁面収納家具のイメージに代わるのみである。
【００３６】
「キッチン」が選択された場合の説明を継続する。ステップＳ６では、食器棚のイメージ１２の中で、操作者のタッチ操作により選択された食器棚の種別情報を取り込む。ここでは、種別情報を写真データに基づき食器棚の具体的なイメージで表示しているため、予備知識の少ないユーザーにも選択がし易くなっている。別のやり方として、図１０の画面上に「機能表示」ボタン１３があって、「機能表示」ボタン１３がタッチ操作されると、パンフレットのように種別毎の特徴等が画面上に説明されるようにすることもできる。その場合には、その機能表示の説明の中で種別を選択できるようにしてもよい。
【００３７】
図８には、そのような機能表示を実現するための割込処理が示されている。上述のように「機能表示」ボタン１３がタッチ操作されると、図８の割込処理が実行され、ステップＳ７０において、種別毎の特徴等を説明する情報が表示される。
【００３８】
図１０の画面上には、「機能表示」ボタン１３と並んで「学習」ボタン１５が表示されている。「学習」ボタン１５がタッチ操作されると、図９の割込処理が実行され、ステップＳ７２において、種別毎の特徴、セールスポイント等を説明する情報が画面上に表示される。この情報は、販売員に設計支援システムにおいて設計対象とされている食器棚や壁面収納家具を販売するために役立つ情報であり、販売員の教育用に使用される。
【００３９】
ステップＳ２において「キッチン」が選択されたとき、表示部１０は、キッチン用の表示とされ、食器棚の奥行き寸法、カウンター高さを入力可能とされる。また、カウンター天板の種類、詳細条件、カラーを選択可能とされる。この表示部１０に基づいて入力、又は選択されると、その内容は、ステップＳ６において、シミュレーション条件の一つである食器棚の種別情報として取得される。
【００４０】
このようにして食器棚の種別情報が取り込まれると、図１１に示すように、食器棚を設置する予定の設置場所等に関する情報（本発明における設置場所情報）の入力を求めるポップアップ画面１４が表示される。ユーザーは、この画面１４の要求に応じて設置場所に関する寸法等の情報や食器棚設置場所の奥行、色等の情報を入力することで、食器棚を設置する予定の設置場所等の情報が取り込まれる。最後に「シミュレーション開始」ボタン１６がタッチ操作されると、図１２のシミュレーション画面が表示される。
【００４１】
ステップＳ８では、図１２のように、表示画面上に食器棚の設置スペース枠１８を表示する。設置スペース枠１８は、ステップＳ６にて入力された食器棚の設置場所の幅と高さに比例した大きさとされている。従って、設置スペース枠１８が食器棚を設置する場所に相当するものとなる。
【００４２】
図１２は、設置スペース枠１８を使って食器棚を組み立てる設計作業をシミュレーションするための表示画面で、設置スペース枠１８は、画面の左上部に表示される。また、画面の下部には、食器棚を組み立てるための組立ユニットのイメージが表示部２０に表示される。更に、画面の右側部には、今、シミュレーションを行っている食器棚の種別、設置場所に関する寸法等の情報が表示部２２に表示される。また、表示部２２の左隣部には、後述のように組立ユニットを組み立てて設計された食器棚の大きさ、設置スペース枠１８の残り寸法に関する情報が表示部２４として表示される。
【００４３】
ステップＳ１０では、選択された種別の食器棚を組み立てるための組立ユニットを抽出する。ステップＳ１０の処理は、食器棚の種別毎に用意された組立ユニットが、予めメモリに格納されており、その格納された情報を読み出すことによって行われる。
【００４４】
一方、ステップＳ２の処理において、「リビング」が選択された場合は、図７のステップＳ５の処理に続いて、ステップＳ６において、図２のステップＳ６と同様に、操作者によって選択された壁面収納家具の種別の情報や、壁面収納家具の設置場所の情報等がシミュレーション条件として取り込まれる。次のステップＳ１２では、壁面収納家具の種別が選択された際に表示されるポップアップ画面１４（図１１参照）にて、テレビボードに収納されるテレビの希望インチサイズが要求され、その要求に回答することによってテレビの希望インチサイズが取り込まれる（図１１では、テレビに関する表示内容の図示を省略している）。このとき、テレビの希望インチサイズではなく、テレビのメーカー名を含む希望機種を取り込むようにしてもよい。
【００４５】
ステップＳ１３では、食器棚のシミュレーションの際と同様に、図２３のように、表示画面上に壁面収納家具の設置スペース枠１８を表示する。設置スペース枠１８は、ステップＳ６にて入力された壁面収納家具の設置場所の幅と高さに比例した大きさとされている。
【００４６】
ステップＳ１４では、食器棚のシミュレーションの際と同様に、選択された種別の壁面収納家具を組み立てるための組立ユニットを抽出する。このとき、表示部２０に組立ユニットとしてテレビボードを表示する場合は、ステップＳ１２において取得された希望インチサイズ、又は希望機種のテレビを収納可能、又は取付可能なテレビボードが抽出される。そのため、テレビのインチサイズや機種番号等に対して、それらのテレビを収納可能、又は取付可能なテレビボードの情報が格納されたメモリ（本発明におけるテレビ用メモリに相当）をサーバー２内に備える。その情報によって、希望のテレビに対応するテレビボードを抽出することができる。
【００４７】
ステップＳ１６（図２参照）では、上述のステップＳ１０又はステップＳ１４で抽出された組立ユニットのうち、食器棚又は壁面収納家具の設置場所に対応する設置スペース枠１８に設置不能な組立ユニットは除外し、設置可能な組立ユニットのみを選択して表示部２０に表示する。表示部２０に表示される組立ユニットとしては、図１２に例示された食器棚の場合で、キャビネット、下台、天板、上台、上置・フィラー、冷蔵庫、家電があり、設置スペース枠１８内にレイアウトするものとして人物のイメージも選択可能とされている。また、図２３に例示される壁面収納家具の場合では、テレビボード、キャビネット、パソコン、上置・フィラー、カスタマイズ商品、オプション品、家電がある。なお、図１２及び図２３に示す組立ユニットは、例示であり、他のものを選出可能とすることができる。
【００４８】
ステップＳ１８では、図１２の矢印で示すように、表示部２０に表示されている組立ユニットのうち、操作者がタッチ操作して設置スペース枠１８内へ移動したものを、表示部２０から設置スペース枠１８内へ移動して表示する。また、ステップＳ１９では、図１３の矢印で示すように、設置スペース枠１８内に表示されている組立ユニットの一つのイメージを、操作者がタッチ操作して設置スペース枠１８外へ移動したものを、設置スペース枠１８から表示部２０へ戻して再度表示する。これらの操作を適宜繰り返し行うことにより、希望どおりの食器棚や壁面収納家具を組み立てて設計することができる。
【００４９】
このとき、組立ユニットの表示部２０と設置スペース枠１８内との間の移動は、タッチ操作した組立ユニットを設置スペース枠１８内の任意の位置、又は設置スペース枠１８外の任意の位置に移動した後にタッチ操作解除することにより行われる。組立ユニットが設置スペース枠１８内に移動される場合は、設置スペース枠１８内に先に移動されていた組立ユニットに自動的に組み立てられる。それを実現するため、ステップＳ２０では、移動された組立ユニットのイメージを、設置スペース枠１８及び他の組立ユニットとの間に余分な隙間を作らないように設置スペース枠１８内で移動させる。
【００５０】
従って、設置スペース枠１８内には、実際に食器棚や壁面収納家具を組み立てているような感覚で、各組立ユニットを組み立ててゆくことができる。このとき、上述のように、表示部２０に表示される組立ユニットは、その時点で、設置スペース枠１８内に設置可能な大きさで、しかも既に設置スペース枠１８内に移動済の組立ユニットに対して組み立て可能な組立ユニットに限定されている。従って、操作者は、残されたスペースについて何も考慮することなく、好みのままに組立ユニットを選択して設置スペース枠１８内で組み立てることで、設置スペースに収まる食器棚や壁面収納家具を短時間で設計することができる。
【００５１】
ステップＳ１６において、設置可能な組立ユニットとして選択される基準の一つは、設置スペース枠１８内に組立ユニットの設置スペースとして残っている幅と高さに対して収納可能な大きさか否かである。また、既に設置スペース枠１８内に移動済の組立ユニットに対して、構造上、又は仕様上の観点から組立可能なものか否かである。ここで、構造上の観点から組立可能とは、既に移動済の組立ユニットに対して組み立てられる組立ユニットの組立構造が組立可能なものである場合であり、組立不能な場合は設置可能な組立ユニットとして選択されない。また、仕様上の観点から組立可能とは、既に移動済の組立ユニットに対して仕様上選択可能な場合であり、仕様違いとなる場合は設置可能な組立ユニットとして選択されない。
【００５２】
図１４は、食器棚の上置・フィラーを組み立てる際の画面表示を示している。表示部２４には、設置スペース枠１８内で組立ユニットを組み立てることができる残り幅と天井との間隔を計算して表示している。表示部２０に表示される組立ユニットは、残り幅と天井との間隔で組み立て可能なものに限定されている。
【００５３】
図３のステップＳ２２では、カスタマイズ要求が有るか否かが判定される。カスタマイズとは、組立ユニットの幅を設置スペース枠１８内での設置スペースの残り寸法に応じて自動的にサイズを変更する機能である。図２２の表示部２０に示されるように、「カスタマイズ商品」のタグの選択により組立ユニットとしてカスタマイズ商品が選択可能な状態とされると、ステップＳ２２は肯定判断され、ステップＳ２４において、図２２のように、選択可能なカスタマイズ商品のイメージを表示部２０に組立ユニットとして表示する。ステップＳ２６では、表示部２０に表示されている組立ユニットのうち、操作者がタッチ操作して設置スペース枠１８内へ移動したものを、表示部２０から設置スペース枠１８内へ移動して表示する。このとき、設置スペース枠１８に組立ユニットの設置スペースとして残っている幅寸法に応じて組立ユニットの幅寸法が自動的に変更されて設置スペース枠１８内に表示される。従って、簡単な操作で、残された設置スペースに応じた寸法の組立ユニットを組み立てることができる。図２２は、食器棚ではなく、壁面収納家具のシミュレーション画面を示しているが、ここで説明したカスタマイズの機能は、食器棚のシミュレーションにも適用できる。また、ここでは、カスタマイズの対象を幅寸法としたが、高さ寸法としてもよい。
【００５４】
ステップＳ２８では、設置スペース枠１８内で組み立てられた組立ユニットの一つがタッピング操作されたか否かが判定される。タッピング操作された場合は、ステップＳ２８は肯定判断され、ステップＳ３０においてタッピング操作された組立ユニットの座標上の位置が保留状態とされる。そして、図２３に示すように、左右に隣接する組立ユニットに向けて矢印（本発明における入換えマークに相当）が表示される。その矢印の一方をタッチ操作すると、ステップＳ３１の処理により、タッチ操作された矢印の側の隣接するイメージ間で座標上の位置の入換えが行われる。それに伴い、表示画面上でも同様の入換えが行われる。図２３の例において、左側の矢印がタッチ操作されると、テレビボードを含む組立ユニット群１８ｂが組立ユニット群１８ａの位置と入れ換えられる。即ち、組立ユニット群１８ｂが組立ユニット群１８ａの位置に移動し、組立ユニット群１８ａが組立ユニット群１８ｂの右側に移動する。また、右側の矢印がタッチ操作されると、組立ユニット群１８ｂが組立ユニット群１８ｃの位置と入れ換えられる。即ち、組立ユニット群１８ｂが組立ユニット群１８ｃの位置に移動し、組立ユニット群１８ｃが組立ユニット群１８ｂの左側に移動する。
【００５５】
従って、既に組み立てられた組立ユニットの入換えを簡単な操作で行うことができる。図２３は壁面収納家具の場合を例に示しているが、食器棚の場合も同様に入換え操作が行われる。なお、図２３では、保留状態とされた組立ユニットの両隣の組立ユニットとの境界部に矢印が表示されたが、保留状態とされた組立ユニットの片側にしか隣接する組立ユニットがない場合には、その片側のみに矢印が表示され、その矢印がタッチ操作されると、片側の組立ユニットとの間で組立ユニットの入換えが行われる。
【００５６】
図３のステップＳ３２では、設置スペース枠１８内で組み立てられた組立ユニットの一つが入れ換えのため、取り外されたか否かが判定される。組立ユニットを取り外す操作は、図２におけるステップＳ１９と同様に、入れ換えたい組立ユニットのイメージにタッチ操作して設置スペース枠１８外へ移動することにより行われる。そのようにして組立ユニットが取り外されると、ステップＳ３２は肯定判断され、ステップＳ３３において、取り外された組立ユニットのあったスペースが空白とされる。そして、ステップＳ３４（図４参照）では、空白とされたスペースに入る大きさの組立ユニットのイメージを表示部２０に表示する。このときの表示画面の例を図２４に示す。表示部２０に表示される組立ユニットとしては、空白とされたスペースに単独で収まる大きさのものの他に、複数の組立ユニットを組み合わせることで収まる大きさのものも表示される。
【００５７】
ステップＳ３５では、表示部２０に表示されている組立ユニットのイメージの中の一つが選択されて上記空白内へ移動する操作が行われるのに応じて、その組立ユニットのイメージを空白内に表示する。このとき、移動された組立ユニットは空白とされていたスペースにピッタリと嵌るものとなる。このようにして、組み立てられた組立ユニットの入換えを簡単な操作で、しかも入換え不能な組立ユニットを選択するという間違いを犯すことなく行うことができる。一方、入れ換えの操作が行われないときは、ステップＳ３２は否定判断されて、ステップＳ３３〜ステップＳ３５の処理はスキップされる。図２４は、食器棚のシミュレーション画面を示しているが、ここで説明した組立ユニットの入換えの機能は、壁面収納家具のシミュレーションにも適用できる。
【００５８】
図１５は、食器棚の設計において、一通りのシミュレーションが完了した時点の画面の表示を示す。ステップＳ３６では、データ保存の指示があるか否かが判定される。この判定は、図１５のように、シミュレーション時の画面で、表示部２２に表示されている保存ボタン２２ａがタッチ操作されたか否かによって行われる。保存ボタン２２ａのタッチ操作が検出されて、データ保存の指示が行われたと判断されると、ステップＳ３６は肯定判断されて、ステップＳ３７において、設置スペース枠１８内に移動されて組み立てられた組立ユニットの全ての品番、色、寸法、座標上の位置データ等が商談アドレスと共にメモリ内に格納保存される。商談アドレスとは、上述の食器棚又は壁面収納家具の組立設計シミュレーションの内容を特定するために付与されるアドレスのことである。
【００５９】
データ保存の指示が行われず、表示部２２に表示されているリセットボタン２２ｃがタッチ操作されると、設置スペース枠１８内に移動して組み立てられた組立ユニットの情報がクリアされる。そのときステップＳ３６は否定判断されて、上述のステップＳ１６以降の処理が繰り返されることになる。従って、上述のシミュレーション操作が繰り返されることになる。
【００６０】
保存ボタン２２ａ及びリセットボタン２２ｃに隣接して印刷ボタン２２ｂが設定されている。印刷ボタン２２ｂが操作者によりタッチ操作されると、設置スペース枠１８内で組み立てられた食器棚のイメージが印刷される。
【００６１】
シミュレーションのデータが保存されると、ステップＳ３８において、図１６に示す確認画面２６を表示する。この確認画面２６に基づいて操作者が「見積を確認する」ボタン２６ａか、「シミュレーションを続ける」ボタン２６ｂのどちらを操作するかに応じて、ステップＳ４０の判定が行われる。「見積を確認する」ボタン２６ａが操作されると、ステップＳ４０は肯定判断され、「シミュレーションを続ける」ボタン２６ｂが操作されると、ステップＳ４０は否定判断される。ステップＳ４０が否定判断されると、上述のステップＳ１６に戻って、再度シミュレーションを継続する。
【００６２】
ステップＳ４０が肯定判断された場合は、ステップＳ４２に進んで、図２０のように、表示画面上に見積書を表示する。見積書には、上述のシミュレーションにおいて設置スペース枠１８内に移動されて組み立てられた組立ユニットの品番データに基づき、各組立ユニットのイメージ、それに対応させて販売店特有の商品コード、寸法データ、価格、納期等が表示される。販売店特有の商品コード、価格、納期については、予め各組立ユニットの品番データに対応させて格納（記憶）されている各販売店毎のメモリ（本発明における販売店用メモリに相当）のデータから読み出すことにより抽出される。
【００６３】
ステップＳ４４では、印刷の指示があるか否かが判定される。この判定は、図２０の見積書を表示する画面内に表示されている印刷ボタン２８がタッチ操作されたか否かによって行われる。印刷ボタン２８がタッチ操作され、印刷の指示が行われたと判断されると、ステップＳ４４は肯定判断されて、ステップＳ４６において、図２０に表示されている見積書を印刷する。係る印刷指示に基づき見積書と同内容のメーカー宛発注書を同時に印刷するようにすることもできる。
【００６４】
ステップＳ４８では、過去の商談履歴の呼出が有るか否かが判定される。この判定は、図１５のような画面の上側に並んだ各タグの中で、「スタッフ管理」タグ２３の中の「履歴呼出」ボタン２３ａがタッチ操作されたか否かによって行われる。「履歴呼出」ボタン２３ａへのタッチ操作が検出され、ステップＳ４８が肯定判断されると、ステップＳ５０において、メモリに保存されている過去の商談データが呼び出され、図２１のように画面上に表示される。この表示から明らかなように、商談履歴としてメモリに保存されるデータとしては、商談番号、接客日、商談担当者名、見積金額、シミュレーション画像、見積画像がある。そして、図２１のように画面上に表示する内容として、接客日、商談担当者名、商談番号、任意のキーワードによる検索が可能とされている。
【００６５】
ステップＳ５２では、表示された商談データに対して、再度シミュレーションを行うとの要求があるか否かが判定される。図２１のように過去の商談履歴を表示した画面の中で、いずれかの「シミュレーション画像」ボタン３０がタッチ操作されると、メモリに格納されていたシミュレーション画像が表示される。そのシミュレーション画像において、いずれかの組立ユニットにタッチする操作が行われたか否かによりステップＳ５２の判定が行われる。いずれかの組立ユニットにタッチする操作が行われると、ステップＳ５２は肯定判断されて、ステップＳ１６以降の処理が再度実施される。図１３のように、設置スペース枠１８内の組立ユニットがタッチ操作されて設置スペース枠１８外へ移動する操作が行われると、ステップＳ１９により移動された組立ユニットが表示部２０へ戻される。また、図１２のように、表示部２０に表示されている組立ユニットを設置スペース枠１８内へ移動する操作が行われると、ステップＳ１８により移動された組立ユニットが設置スペース枠１８内で既に移動済の組立ユニットに対して組み立てられる。そのようにして再度シミュレーションが行われる。
【００６６】
ステップＳ５４では、シミュレーション中の食器棚又は壁面収納家具の奥行、又は色の変更要求があるか否か判定される。この判定における奥行の変更要求の有無は、図１５のように、表示部２２の変更ボタン２２ｄがタッチ操作されたか否かにより行われる。変更ボタン２２ｄがタッチ操作されてステップＳ５４が肯定判断された場合は、ステップＳ５５において、今、画面上に表示され、シミュレーション中の各組立ユニットの品番が一括して変更される。この変更は、変更ボタン２２ｄがタッチ操作される直前に選択された奥行（この実施形態では「５００ｍｍ」か「４５０ｍｍ」）の組立ユニットに該当する品番に変更される。
【００６７】
ステップＳ５４における色の変更要求の有無は、図１７のように、「カラー選択・変更」表示部２２ｅのアイコンにタッチ操作されたか否かにより行われる。「カラー選択・変更」表示部２２ｅのアイコンがタッチ操作されると、カラー選択画面３２がポップアップされて、操作者が好みのカラーを選択可能とされる。ここで、操作者が好みのカラーを選択すると、ステップＳ５５において、今、画面上に表示され、シミュレーション中の各組立ユニットの品番が一括して変更される。この変更が行われると、図１８に示すように、シミュレーション中の各組立ユニットの色が選択色に変更されて表示される。
【００６８】
ステップＳ５６では、シリーズ比較の要求があるか否か判定される。この判定におけるシリーズ比較の要求の有無は、図１９のように、表示部２５のシリーズ比較ボタン２５ａがタッチ操作されたか否かにより行われる。シリーズ比較ボタン２５ａがタッチ操作されてステップＳ５６が肯定判断された場合は、ステップＳ５７において、シリーズ比較の表示が行われる。この表示は、図１９のように、それまでのシミュレーションによって組み立てられてメモリに保存された家具のシリーズを一覧形式で表示する。ここで表示されるシリーズとしては、そのとき設置スペース枠において組み立てられた家具と同等の大きさ、且つ近似構造の他の種類の家具とされる。また、この一覧表では、価格、機能等を含む各シリーズの特徴事項が相対比較可能に表示される。
【００６９】
次のステップＳ５８では、図１９のような一覧表示を見て、表示されたシリーズの中から好みのシリーズを選択してタッチ操作すると、その操作に基づいて設置スペース枠１８内に表示される家具が選択されたシリーズのものとされる。上述のようにシリーズ比較ボタン２５ａがタッチ操作されなければ、ステップＳ５６は否定判断されて、ステップＳ５７、ステップＳ５８の処理はスキップされる。
【００７０】
ステップＳ５９では、レイアウトシートの要求が有るか否かが判定される。レイアウトシートとは、食器棚や壁面収納家具のユーザーに対して、設計された食器棚や壁面収納家具の組立ユニットの組立状態が判るように示すものである。レイアウトシートの要求が有るか否かは、図１８の表示部２５の「レイアウトシート」ボタン２５ｂがタッチ操作されたか否かにより判定される。「レイアウトシート」ボタン２５ｂがタッチ操作されたことが検出されると、ステップＳ５９が肯定判断され、ステップＳ６０において、レイアウトシートが作成され印刷される。
【００７１】
ステップＳ６２では、オーダー要求が有るか否かが判定される。オーダー要求が有るか否かは、図１８の表示部２５の「オーダー」ボタン２５ｃがタッチ操作されたか否かにより判定される。「オーダー」ボタン２５ｃがタッチ操作されたことが検出されると、ステップＳ６２が肯定判断され、ステップＳ６４において、オーダーサイズ指示書が作成され印刷される。オーダーサイズ指示書とは、販売店からメーカーに対して食器棚や壁面収納家具のための組立ユニットを注文する際の具体的な注文内容を示す書類である。
【００７２】
ステップＳ６６では、設置指示書の要求が有るか否かが判定される。設置指示書とは、食器棚や壁面収納家具を現場で組み立てる作業者（本発明における組立作業者に相当）に対して、設計された食器棚や壁面収納家具の組立ユニットの組み立て方を説明する書類である。設置指示書の要求が有るか否かは、図１８の表示部２５の「設置指示書」ボタン２５ｄがタッチ操作されたか否かにより判定される。「設置指示書」ボタン２５ｄがタッチ操作されたことが検出されると、ステップＳ６６が肯定判断され、ステップＳ６８において、設置指示書が作成され印刷される。
【００７３】
以上の実施形態によれば、タブレット端末の画面上の表示に従って、食器棚や壁面収納家具を組立ユニットによって組み立てて設計することができる。組み立てに際しては、設置スペース枠１８内に画面上に表示された組立ユニットのイメージを移動するのみで簡単に設計を行うことができる。このとき、画面上に表示される組立ユニットは、その時点で設置スペース枠１８において組み立て可能なものに限定されるため、操作者は、選択しようとしている組立ユニットが組み立て可能なものか否かを考えることなく設計を行うことができる。
【００７４】
このようにミスのない設計を可能とすることにより、組み合わせ不可の商品の選択やサイズオーダーの間違いなどのトラブルを未然に防ぐことができ、販売店とユーザーの両方にメリットを与える。また、希望のアイテムでカラーオーダーしたイメージを瞬時に表示、また、それを変更可能とすることで、ユーザーの満足度を高めながらイメージ間違いのリスクを軽減することができる。
【００７５】
また、一旦設計が完了した食器棚や壁面収納家具において、互いに隣接する組立ユニット同士の場所の入換えを、入換えたい組立ユニットのイメージにタッピングした後に、そのイメージに隣接する組立ユニットに対応して表示される矢印にタッチ操作することにより容易に行うことができる。更に、一旦設計が完了した食器棚や壁面収納家具において、一部の組立ユニットを別の組立ユニットに変更したい場合に、変更したい組立ユニットを取り外して空白とし、その空白に別の組立ユニットを嵌め込むことにより、容易に変更を行うことができる。更にまた、テレビボードの組立ユニットに関しては、収納したいテレビのインチサイズを入力することにより、そのテレビを収納可能なテレビボードを抽出して、選定対象の組立ユニットとして画面上に表示することができる。従って、テレビボードの選定に際して、テレビの寸法を気にすることなく容易に行うことができる。
【００７６】
食器棚や壁面収納家具の設計が完了した後に、その設計データを保存することができ、その設計データを、履歴呼出により呼び出して設計の小変更ややり直しを行うことができる。従って、保存データを呼び出すだけで前回の商談の続きをスムーズに再開することもできる。
【００７７】
更に、食器棚や壁面収納家具の設計が完了した時点で、保存されている他のシリーズの設計データと対比可能となるように一覧形式にて表示して、その中の任意のシリーズを選択可能とすることにより、価格や機能を比較しながら、最終的に好みの食器棚や壁面収納家具を決定することができる。
【００７８】
そのようにして設計したデータに基づき、必要に応じて、見積書、レイアウトシート、オーダーサイズ指示書、設置指示書等を作成、印刷することができる。従って、それらの書類を間違いなく、簡単に作成することができる。
【００７９】
その結果、販売員のレベルに頼ることなく一定で正確な商品選択とサービスを提供可能となる。また、就業経験の浅い販売員が苦手意識を持つことなく接客できる環境となる。しかも、接客時間を短縮することができる。
【００８０】
また、「学習」ボタン１５をタッチ操作することにより、時間や環境に拘束されることなく、常時あるいは余裕のあるときにいつでも商品知識を増やすことができる。
【００８１】
上記実施形態において、図２〜９のフローチャートにおけるステップＳ４〜Ｓ６の処理は、本発明の入力手段、若しくは入力手順に相当する。また、ステップＳ８、Ｓ１３の処理は、本発明の設置スペース枠表示手段、若しくは設置スペース枠表示手順に相当する。ステップＳ１０、Ｓ１２、Ｓ１４、Ｓ１６の処理は、本発明の組立ユニット表示手段、若しくは組立ユニット表示手順に相当する。ステップＳ１８の処理は、本発明の組立ユニット移動手段、若しくは組立ユニット移動手順に相当する。ステップＳ１６の処理は、本発明の表示限定手段、若しくは表示限定手順に相当する。
【００８２】
ステップＳ３６、Ｓ３７の処理は、本発明の保存手段に相当する。ステップＳ４２の処理は、本発明の変換手段に相当する。
【００８３】
ステップＳ２８の処理は、本発明の選択操作検知手段に相当する。ステップＳ３０の処理は、本発明の保留化手段に相当する。ステップＳ３１の処理は、本発明の入換手段に相当する。
【００８４】
ステップＳ３２、Ｓ３３の処理は、本発明の組立ユニット取外手段に相当する。ステップＳ３４の処理は、本発明の第２表示限定手段に相当する。ステップＳ３５の処理は、本発明の第２組立ユニット移動手段に相当する。
【００８５】
ステップＳ５６、Ｓ５７の処理は、本発明の一覧表示手段に相当する。ステップＳ５８の処理は、本発明の変更表示手段に相当する。
【００８６】
ステップＳ２２、Ｓ２４の処理は、本発明のカスタマイズ商品表示手段に相当する。ステップＳ２６の処理は、本発明の寸法変更手段に相当する。
【００８７】
ステップＳ７２の処理は、本発明の学習手段に相当する。
【００８８】
ステップＳ５９〜Ｓ６８の処理は、本発明の書類作成手段に相当する。
【００８９】
ステップＳ１２、Ｓ１４、Ｓ１６の処理は、本発明のテレビボード表示手段に相当する。
【００９０】
ステップＳ４６の処理は、本発明の見積等作成手段に相当する。
【００９１】
以上、特定の実施形態について説明したが、本発明は、それらの外観、構成に限定されず、本発明の要旨を変更しない範囲で種々の変更、追加、削除が可能である。例えば、上記実施形態では、システム収納家具として食器棚と壁面収納家具の例を示したが、これらに限定されない。また、上記実施形態では、ディスプレイ上に表示された画面の操作を操作者の指でタッチして操作する場合について説明したが、マウスによって移動されるカーソルによって操作するようにしてもよい。マウスによる操作の場合、画面上での組立ユニットの移動はドラッグ操作により行われ、設置スペース枠１８内に移動された組立ユニットを保留状態とするための操作は、マウスのクリック操作により行われる。
【符号の説明】
【００９２】
２    サーバー
４    インターネット
６    アクセスポイント
８    タブレット端末
１０  表示部
１２  食器棚のイメージ
１３  「機能表示」ボタン
１４  ポップアップ画面
１５  「学習」ボタン
１６  「シミュレーション開始」ボタン
１８  設置スペース枠
２０、２２、２４、２５  表示部
２６  確認画面
２８  印刷ボタン
３０  「シミュレーション画像」ボタン
３２  カラー選択画面
【図１】
2017091203.tif 000003
【図２】
2017091203.tif 000004
【図３】
2017091203.tif 000005
【図４】
2017091203.tif 000006
【図５】
2017091203.tif 000007
【図６】
2017091203.tif 000008
【図７】
2017091203.tif 000009
【図８】
2017091203.tif 000010
【図９】
2017091203.tif 000011
【図１０】
2017091203.tif 000012
【図１１】
2017091203.tif 000013
【図１２】
2017091203.tif 000014
【図１３】
2017091203.tif 000015
【図１４】
2017091203.tif 000016
【図１５】
2017091203.tif 000017
【図１６】
2017091203.tif 000018
【図１７】
2017091203.tif 000019
【図１８】
2017091203.tif 000020
【図１９】
2017091203.tif 000021
【図２０】
2017091203.tif 000022
【図２１】
2017091203.tif 000023
【図２２】
2017091203.tif 000024
【図２３】
2017091203.tif 000025
【図２４】
2017091203.tif 000026